(57)【要約】【課題】水の侵入を防止すると共に、接続部材の露出を極力抑えて意匠性を向上させることができる加熱調理器を提供する。【解決手段】右外枠３４の挿入部３４ｅは、前外枠３１の第１切欠部３１ｄの第１切欠部３２ｄに、段差部３４ｄが当接した状態で前外枠３１の第１上面３１ａと重なり合い。そして、接続部材３５ｄは、右外枠３４の挿入部３４ｅに当接された状態で内側に挿入されて、接続部材３５ｄの突起部３６が前外枠３１の第１側面３１ｂ及び第１下面３１ｃと右外枠３４の第２下面３４ｃ及び第２切欠部３４ｆとにより狭持されている。【選択図】図５
2014070805.tif 000002
【特許請求の範囲】
【請求項１】
被加熱体が載置される天板と、
前記天板の左右方向に延びる長方形状の第１上面、前記第１上面の前記天板側の１辺を除く３辺から下方に延びる第１側面、前記第１側面から内側に延びる第１下面、及び前記１辺の両端に内側に切り欠けられた第１切欠部を有し、前記天板の前後の各端部を前記第１上面でそれぞれ覆う第１外枠と、
前記天板の前後方向に延びる長方形状の第２上面、前記第２上面の前記天板側より外側の辺から下方に延びる第２側面、前記第２側面から内側に延びる第２下面、前記第２上面の長手方向の両端に当該第２上面より下方に、かつ前記第２側面より内側にそれぞれ段差部を有して延びる断面がほぼＬ字状の挿入部、及び前記挿入部の側面の下部に前記第２下面側に切り欠けられた第２切欠部を有し、前記天板の左右の各端部を前記第２上面でそれぞれ覆う第２外枠と、
前記第２外枠の第２下面と対向する側に突起部を有し、前記第１外枠及び前記第２外枠の繋ぎ部分に配置された接続部材と、
前記第２外枠側にそれぞれ設けられ、前記第１外枠にそれぞれ固定されて、前記天板を下から支持するベースとを備え、
前記第２外枠の挿入部は、前記第１外枠の第１切欠部に当該挿入部の段差部が当接した状態で前記第１外枠の第１上面と重なり合い、
前記接続部材は、前記第２外枠の挿入部上に載せられた状態で、前記第１外枠の第１下面との間に内側に挿入されて、当該接続部材の突起部が前記第１外枠の第１側面及び第１下面と前記第２外枠の第２下面及び第２切欠部とにより狭持されていることを特徴とする加熱調理器。
【請求項２】
前記接続部材で前記天板の左右方向の位置を固定することを特徴とする請求項１記載の加熱調理器。
【請求項３】
前記接続部材は、前記天板の角部が係合するようにＬ字状に形成されていることを特徴とする請求項１記載の加熱調理器。
【請求項４】
前記接続部材の高さは、前記天板の厚さよりも高くなっていることを特徴とする請求項１乃至３の何れかに記載の加熱調理器。
【発明の詳細な説明】
【技術分野】
【０００１】
本発明は、天板に載置された被加熱体を加熱コイルで誘導加熱する加熱調理器に関するものである。
【背景技術】
【０００２】
従来の加熱調理器として、被加熱体が載置される天板の外周を覆う外枠と、外枠の端面と相対する位置に切欠部を設けた上板と、外枠の内側に挿入保持される挿入部及び外枠の端面と切欠部との間の隙間を埋める接ぎ部で形成された接続部材とを備えたものがある（例えば、特許文献１参照）。
【先行技術文献】
【特許文献】
【０００３】
【特許文献１】特開２００８−１３５３２０号公報（要約）
【発明の概要】
【発明が解決しようとする課題】
【０００４】
しかしながら、前述した従来の加熱調理器では、接続部材が表面上に露出して見えるため、意匠性を損なう。また、天板上の被加熱体が吹きこぼれをした場合、切欠部と接ぎ部との間の隙間から本体ケース内に水が浸入する虞がある。
【０００５】
本発明は、前述のような課題を解決するためになされたもので、水の侵入を防止すると共に、接続部材の露出を極力抑えて意匠性を向上させることができる加熱調理器を提供することを目的とする。
【課題を解決するための手段】
【０００６】
本発明に係る加熱調理器は、被加熱体が載置される天板と、天板の左右方向に延びる長方形状の第１上面、第１上面の天板側の１辺を除く３辺から下方に延びる第１側面、第１側面から内側に延びる第１下面、及び１辺の両端に内側に切り欠けられた第１切欠部を有し、天板の前後の各端部を第１上面でそれぞれ覆う第１外枠と、天板の前後方向に延びる長方形状の第２上面、第２上面の天板側より外側の辺から下方に延びる第２側面、第２側面から内側に延びる第２下面、第２上面の長手方向の両端に当該第２上面より下方に、かつ第２側面より内側にそれぞれ段差部を有して延びる断面がほぼＬ字状の挿入部、及び挿入部の側面の下部に第２下面側に切り欠けられた第２切欠部を有し、天板の左右の各端部を第２上面でそれぞれ覆う第２外枠と、第２外枠の第２下面と対向する側に突起部を有し、第１外枠及び第２外枠の繋ぎ部分に配置された接続部材と、第２外枠側にそれぞれ設けられ、第１外枠にそれぞれ固定されて、天板を下から支持するベースとを備え、第２外枠の挿入部は、第１外枠の第１切欠部に当該挿入部の段差部が当接した状態で第１外枠の第１上面と重なり合い、接続部材は、第２外枠の挿入部上に載せられた状態で、第１外枠の第１下面との間に内側に挿入されて、当該接続部材の突起部が第１外枠の第１側面及び第１下面と第２外枠の第２下面及び第２切欠部とにより狭持されている。
【発明の効果】
【０００７】
本発明によれば、第２外枠の挿入部は、第１外枠の第１切欠部に当該挿入部の段差部が当接した状態で第１外枠の第１上面と重なり合う。接続部材は、第２外枠の挿入部上に載せられた状態で、第１外枠の第１下面との間に内側に挿入されて、当該接続部材の突起部が第１外枠の第１側面及び第１下面と第２外枠の第２下面及び第２切欠部とにより狭持されている。このため、第１及び第２外枠を上方から見ても接続部材が殆ど見えず、意匠性が向上している。また、第１外枠及び第２外枠の繋ぎ部分を重ね合わせているため、吹きこぼれなど水の浸入を防ぐことができる。
【図面の簡単な説明】
【０００８】
【図１】実施の形態に係る加熱調理器の外観を示す斜視図である。
【図２】実施の形態に係る加熱調理器の天板及び天板の外周を覆う外枠を示す斜視図である。
【図３】図２に示すＡ部の拡大斜視図である。
【図４】図２に示すＢ−Ｂの拡大断面図である。
【図５】図３に示すＡ部の分解斜視図である。
【図６】図２の天板及び天板の外周を覆う外枠を裏から見て示す平面図である。
【図７】図６の平面図にベースを取り付けて示す平面図である。
【図８】図６の接続部材の変形例を示す平面図である。
【発明を実施するための形態】
【０００９】
図１は実施の形態に係る加熱調理器の外観を示す斜視図である。
実施の形態の加熱調理器は、図１に示すように、本体ケース１の上部に設けられた天板２と、本体ケース１内に天板２に近接して配置された円環状の例えば左加熱コイル及び右加熱コイルと、本体ケース１内に左加熱コイル及び右加熱コイルより下方の位置に加熱庫が配置されたグリル加熱器１１とを主要部品として備えている。なお、本実施の形態においては、加熱コイルを２つとしているが、これは一例であって、１つあるいは３つ以上でもよい。
【００１０】
天板２は、耐熱強化ガラスより形成され、外周に額縁状の外枠３が装着された状態で本体ケース１に取り付けられている。天板２には、左加熱コイルに対向する部分に鍋の載置位置を示す左載置部２ａが設けられ、右加熱コイルに対向する部分に右載置部２ｂが設けられている。また、天板２の前部には、左加熱コイルに対応して火力表示部５及び左表示部６が設けられ、右加熱コイルに対応して火力表示部７及び右表示部８が設けられている。また、天板２の前部中央には、グリル表示部９が設けられている。
【００１１】
外枠３の後部には、吸気口カバー１２及び排気口カバー１３が取り外し可能に設けられている。外枠３の前部には、左加熱コイル、右加熱コイル及びグリル加熱器１１の加熱動作をそれぞれ操作するための上面操作部４が設けられている。本体ケース１の前面には、左加熱コイル及び右加熱コイルの火力をそれぞれ微調節するための左火力調節ダイヤル１０ａ及び右火力調節ダイヤル１０ｂを有する前面操作部１０が設けられている。
【００１２】
次に、前述した外枠３の構成について図２乃至図７を用いて説明する。
図２は実施の形態に係る加熱調理器の天板及び天板の外周を覆う外枠を示す斜視図、図３は図２に示すＡ部の拡大斜視図、図４は図２に示すＢ−Ｂの拡大断面図である。図５は図３に示すＡ部の分解斜視図、図６は図２の天板及び天板の外周を覆う外枠を裏から見て示す平面図、図７は図６の平面図にベースを取り付けて示す平面図である。
【００１３】
外枠３は、例えば板金より構成され、天板２の前後の各端部をそれぞれ覆う前外枠３１及び後外枠３２（共に第１外枠）と、天板２の左右の各端部をそれぞれ覆う左外枠３３及び右外枠３４（共に第２外枠）とを備えている。前外枠３１及び後外枠３２と左外枠３３との繋ぎ部分、及び前外枠３１及び後外枠３２と右外枠３４との繋ぎ部分には、それぞれ内側から挿入された４つの接続部材３５が配置されている。また、左外枠３３及び右外枠３４にそれぞれ設けられ、前外枠３１及び後外枠３２にそれぞれ固定されて、天板２を下から支持する左ベース３７及び右ベース３８を備えている。
【００１４】
前外枠３１は、天板２の左右方向に延びる長方形状の第１上面３１ａ（上面操作部４側）と、第１上面３１ａの天板２側の１辺を除く３辺から下方に延びる第１側面３１ｂと、第１側面３１ｂから内側に延びる第１下面３１ｃとで構成されている。第１上面３１ａの天板２側の１辺の両端には、内側に切り欠けられた第１切欠部３１ｄが設けられている。この前外枠３１の第１上面３１ａによって、天板２の前端部が覆われている。
【００１５】
後外枠３２は、前外枠３１と同様に、天板２の左右方向に延びる長方形状の第１上面３２ａ（吸気口及び排気口側）と、第１上面３２ａの天板２側の１辺を除く３辺から下方に延びる第１側面３２ｂと、第１側面３２ｂから内側に延びる第１下面３２ｃとで構成されている。第１上面３２ａの天板２側の１辺の両端には、内側に切り欠けられた第１切欠部３２ｄが設けられている。この後外枠３２の第１上面３２によって、天板２の後端部が覆われている。
【００１６】
左外枠３３は、天板２の前後方向に延びる長方形状の第２上面３３ａと、第２上面３３ａの天板２側より外側の辺から下方に延びる第２側面３３ｂと、第２側面３３ｂから内側に延びる第２下面３３ｃ（図６参照）とで構成されている。第２上面３３ａの長手方向の両端には、第２上面３３ａより下方に、かつ第２側面３３ｂより内側にそれぞれ段差部を有して延びる断面がほぼＬ字状の挿入部が設けられている。また、挿入部の側面の下部には、第２下面３３ｃ側に切り欠けられた第２切欠部が設けられている。この左外枠３３の第２上面３３ａによって、天板２の左端部が覆われている。なお、前述の段差部、挿入部及び第２切欠部は、図示していないが、後述する右外枠３４と同様である。
【００１７】
右外枠３４は、左外枠３３と同様に、天板２の前後方向に延びる長方形状の第２上面３４ａと、第２上面３４ａの天板２側より外側の辺から下方に延びる第２側面３４ｂと、第２側面３４ｂから内側に延びる第２下面３４ｃ（図６参照）とで構成されている。第２上面３４ａの長手方向の両端には、図３及び図５に示すように、第２上面３４ａより下方に、かつ第２側面３４ｂより内側に、それぞれ段差部３４ｄを有して延びる断面がほぼＬ字状の挿入部３４ｅが設けられている。また、挿入部３４ｅの側面の下部には、図５に示すように、第２下面３４ｃ側に切り欠けられた第２切欠部３４ｆが設けられている。この右外枠３４の第２上面３４ａによって、天板２の右端部が覆われている。
【００１８】
４つの接続部材３５のうちの２つの接続部材３５ａ、３５ｂは、左外枠３３の第２下面３３ｃと対向する側に突起部３６が設けられている。また、残りの２つの接続部材３５ｃ、３５ｄは、右外枠３４の第２下面３４ｃと対向する側に突起部３６が設けられている。
【００１９】
次に、外枠３の組み立て手順、及び組み立てた外枠３に天板２を取り付けるまでの手順について説明する。外枠３の組み立て及び天板２の取り付けのときには、それらを裏側にして行う。なお、この組み立て手順は、一例であって限定されるものではない。
先ず、右外枠３４の両端の挿入部３４ｅを、段差部３４ｄが前外枠３１の第１切欠部３１ｄ及び後外枠３２の第１切欠部３２ｄにそれぞれ当接するまで挿入して、前外枠３１の第１上面３１ａ及び後外枠３２の第１上面３２ａとそれぞれ重ね合わせる。また、左外枠３３の両端の挿入部を、段差部が前外枠３１の第１切欠部３１ｄ及び後外枠３２の第１切欠部３２ｄにそれぞれ当接するまで挿入して、前外枠３１の第１上面３１ａ及び後外枠３２の第１上面３２ａとそれぞれ重ね合わせる。
【００２０】
そして、接続部材３５ｄを、右外枠３４の一方の挿入部３４ｅ上に載せた状態で、前外枠３１の第１下面３１ｃとの間に内側に挿入して、接続部材３５ｄの突起部３６を前外枠３１の第１側面３１ｂ及び第１下面３１ｃと右外枠３４の第２下面３４ｃ及び第２切欠部３４ｆとにより狭持する。また、接続部材３５ｃを、右外枠３４の他方の挿入部３４ｅ上に載せた状態で、後外枠３２の第１下面３２ｃとの間に内側に挿入して、接続部材３５ｃの突起部３６を後外枠３２の第１側面３２ｂ及び第１下面３２ｃと右外枠３４の第２下面３４ｃ及び第２切欠部３４ｆとにより狭持する。この場合、接続部材３５ｃ、３５ｄの各突起部３６の先端部が露出する。
【００２１】
更に、接続部材３５ｂを、左外枠３３の一方の挿入部上に載せた状態で、前外枠３１の第１下面３１ｃとの間に内側に挿入して、接続部材３５ｂの突起部３６を前外枠３１の第１側面３１ｂ及び第１下面３１ｃと左外枠３３の第２下面３３ｃ及び第２切欠部とにより狭持する。また、接続部材３５ａを、左外枠３３の他方の挿入部上に載せた状態で、後外枠３２の第１下面３２ｃとの間に内側に挿入して、接続部材３５ａの突起部３６を後外枠３２の第１側面３２ｂ及び第１下面３２ｃと左外枠３３の第２下面３３ｃ及び第２切欠部とにより狭持する。この場合も、接続部材３５ａ、３５ｂの各突起部３６の先端部が露出する。
【００２２】
その後、図６に示すように、天板２を、接続部材３５ａ、３５ｃの間、及び接続部材３５ｂ、３５ｄの間に挿入する。そして、図７に示すように、左ベース３７を、左外枠３３の第２下面３３ｃ、前外枠３１の第１下面３１ｃ及び後外枠３２の第１下面３２ｃから露出する接続部材３５ａ、３５ｂを覆って、前外枠３１及び後外枠３２にそれぞれ固定する。また、右ベース３８を、右外枠３４の第２下面３４ｃ、前外枠３１の第１下面３１ｃ及び後外枠３２の第１下面３２ｃから露出する接続部材３５ｃ、３５ｄを覆って、前外枠３１及び後外枠３２にそれぞれ固定する。
【００２３】
なお、４つの接続部材３５の高さは、天板２の厚さよりも高くなっているので、各ベース３７、３８との隙間にシリコン接着剤を注入して、天板２を固定する。
【００２４】
以上のように実施の形態によれば、例えば、右外枠３４の挿入部３４ｅは、前外枠３１の第１切欠部３１ｄに段差部３４ｄが当接した状態で、前外枠３１の第１上面３１ａと重なり合い、そして、接続部材３５ｄは、右外枠３４の挿入部３４ｅに当接された状態で内側に挿入されて、接続部材３５ｄの突起部３６が前外枠３１の第１側面３１ｂ及び第１下面３１ｃと右外枠３４の第２下面３４ｃ及び第２切欠部３４ｆとにより狭持されている。このように構成された外枠３においては、外枠３を上方から見ても４つの接続部材３５が殆ど見えず、意匠性が向上している。
また、外枠３の繋ぎ部分を重ね合わせているため、吹きこぼれなど水の浸入を防ぐことができる。また、４つの接続部材３５で天板２の左右方向の位置を固定しているので、天板２に複数の表示部５、６、７、８を設けていても位置ずれが無くなり、加熱調理器の組み立てが容易である。更に、接続部材３５の高さを天板２の厚さよりも高くしているので、天板２の左右方向の端部と各ベース３７、３８との間の隙間を設けることができ、そのため、破損しやすい天板２の端部を保護できる。
【００２５】
なお、実施の形態では、４つの接続部材３５で天板２の左右方向の位置を固定するようにしたが、図８に示すように、天板２の角部が係合するように、Ｌ字状に形成された４つの接続部材３９を設けるようにしてもよい。このように４つの接続部材３９をＬ字状に形成することで、天板２を左右方向の固定に加えて前後方向も固定できる。このため、より複数の表示部５、６、７、８との位置ずれを抑えることができる。
【符号の説明】
【００２６】
１  本体ケース、２  天板、２ａ  左載置部、２ｂ  右載置部、３  外枠、４  上面操作部、５  火力表示部、６  左表示部、７  火力表示部、８  右表示部、９  グリル表示部、１０  前面操作部、１０ａ  左火力調節ダイヤル、１０ｂ  右火力調節ダイヤル、１１  グリル加熱器、１２  吸気口カバー、１３  排気口カバー、３１  前外枠、３１ａ  第１上面、３１ｂ  第１側面、３１ｃ  第１下面、３１ｄ  第１切欠部、３２  後外枠、３２ａ  第１上面、３２ｂ  第１側面、３２ｃ  第１下面、３２ｄ  第１切欠部、３３  左外枠、３３ａ  第２上面、３３ｂ  第２側面、３３ｃ  第２下面、３４  右外枠、３４ａ  第２上面、３４ｂ  第２側面、３４ｃ  第２下面、３４ｄ  段差部、３４ｅ  挿入部、３４ｆ  第２切欠部、３５  接続部材、３６  突起部、３７  左ベース、３８  右ベース、３９  Ｌ字状の接続部材。
【図１】
2014070805.tif 000003
【図２】
2014070805.tif 000004
【図３】
2014070805.tif 000005
【図４】
2014070805.tif 000006
【図５】
2014070805.tif 000007
【図６】
2014070805.tif 000008
【図７】
2014070805.tif 000009
【図８】
2014070805.tif 000010